(57)【要約】【課題】好ましいレーベル画像を容易に編集することができるレーベル画像編集装置、レーベル画像編集描画システム、レーベル画像編集プログラム、およびレーベル画像編集プログラム記憶媒体を提供する。【解決手段】データが記録されるデータ面と、該データ面の記録内容を視覚的に確認するためのレーベル画像が描画されるレーベル面とを有する記録メディアに記録されるデータ及び又はその記録メディアから再生されるデータを解析するデータ解析部６２０と、データ解析部６２０による解析結果に応じたレイアウトを決定するレイアウト決定部６３０と、レイアウト決定部６３０で決定されたレイアウトを、上記レーベル画像のレイアウトとして表示するレイアウト表示部６４０とを備えた。【選択図】        図５
2007274308.tif 000002
【特許請求の範囲】
【請求項１】
データが記録されるデータ面と、該データ面の記録内容を視覚的に確認するためのレーベル画像が描画されるレーベル面とを有する記録メディアについてレーベル画像を編集するレーベル画像編集装置において、
前記記録メディアに記録されるデータ及び又は該記録メディアから再生されるデータを解析するデータ解析部と、
前記レーベル画像のレイアウトとして、前記データ解析部による解析結果に応じたレイアウトを表示するレイアウト表示部とを備えたことを特徴とするレーベル画像編集装置。
【請求項２】
前記レイアウト表示部によって表示されたレイアウトを用いて前記レーベル画像を作成する画像作成部を備えたことを特徴とする請求項１記載のレーベル画像編集装置。
【請求項３】
前記レイアウト表示部によって表示されたレイアウト上で前記レーベル画像を操作に応じて作成する画像作成部を備えたことを特徴とする請求項１記載のレーベル画像編集装置。
【請求項４】
前記レイアウトの複数候補から、前記データ解析部による解析結果に応じたレイアウトを選択するレイアウト選択部を備え、
前記レイアウト表示部が、前記レイアウト選択部で選択されたレイアウトを表示するものであることを特徴とする請求項１記載のレーベル画像編集装置。
【請求項５】
前記データ解析部が、所定の分類ルールに基づいてデータを複数タイプに分類し、データ数が最も多いタイプを求めるものであり、
前記複数タイプそれぞれに対応した複数のレイアウトから、前記データ解析部によって求められるタイプに対応したレイアウトを選択するレイアウト選択部を備え、
前記レイアウト表示部が、前記レイアウト選択部で選択されたレイアウトを表示するものであることを特徴とする請求項１記載のレーベル画像編集装置。
【請求項６】
前記レイアウトの基本となる基本レイアウトを、前記データ解析部による解析結果に応じて修正するレイアウト修正部を備え、
前記レイアウト表示部が、前記レイアウト修正部で修正されてなるレイアウトを表示するものであることを特徴とする請求項１記載のレーベル画像編集装置。
【請求項７】
前記データ解析部が、所定の分類ルールに基づいてデータを複数タイプに分類し、各タイプのデータ数を求めるものであり、
前記複数タイプそれぞれ用の記述欄が設けられた基本レイアウトの記述欄の広さを、前記データ解析部によって得られる各タイプのデータ数に応じて修正するレイアウト修正部を備え、
前記レイアウト表示部が、前記レイアウト修正部で修正されてなるレイアウトを表示するものであることを特徴とする請求項１記載のレーベル画像編集装置。
【請求項８】
前記データが、名称を付されたデータであり、
前記データ解析部が、複数タイプそれぞれに対応した複数のキーワードを有し、それら複数タイプのうち、対応したキーワードが名称の少なくとも一部に用いられているデータが最も多いタイプを求めるものであることを特徴とする請求項１記載のレーベル画像編集装置。
【請求項９】
前記データ解析部が、各所定の複数の分類ルールのうち操作に応じた分類ルールに基づいてデータを複数タイプに分類するものであることを特徴とする請求項１記載のレーベル画像編集装置。
【請求項１０】
前記記録メディアが、データが光で記録されるデータ面と、その光で前記レーベル画像が描画されるレーベル面とを有するものであることを特徴とする請求項１記載のレーベル画像編集装置。
【請求項１１】
データが記録されるデータ面と、該データ面の記録内容を視覚的に確認するためのレーベル画像が描画されるレーベル面とを有する記録メディアについてレーベル画像を編集するレーベル画像編集装置であって、
前記記録メディアに記録されるデータ及び又は該記録メディアから再生されるデータを解析するデータ解析部と、
前記レーベル画像のレイアウトとして、前記データ解析部による解析結果に応じたレイアウトを表示するレイアウト表示部とを備えたレーベル画像編集装置；および、
前記レーベル画像編集装置によって編集されたレーベル画像を前記レーベル面に描画するレーベル画像描画装置；
を備えたことを特徴とするレーベル画像編集描画システム。
【請求項１２】
コンピュータに組み込まれ、該コンピュータに、データが記録されるデータ面と、該データ面の記録内容を視覚的に確認するためのレーベル画像が描画されるレーベル面とを有する記録メディアについてレーベル画像を編集させるレーベル画像編集プログラムにおいて、
該コンピュータ上に、
前記記録メディアに記録されるデータ及び又は該記録メディアから再生されるデータを解析するデータ解析部と、
前記レーベル画像のレイアウトとして、前記データ解析部による解析結果に応じたレイアウトを表示するレイアウト表示部とを構築することを特徴とするレーベル画像編集プログラム。
【請求項１３】
コンピュータに組み込まれ、該コンピュータに、データが記録されるデータ面と、該データ面の記録内容を視覚的に確認するためのレーベル画像が描画されるレーベル面とを有する記録メディアについてレーベル画像を編集させるレーベル画像編集プログラムが記憶されてなるレーベル画像編集プログラム記憶媒体において、
該コンピュータ上に、
前記記録メディアに記録されるデータ及び又は該記録メディアから再生されるデータを解析するデータ解析部と、
前記レーベル画像のレイアウトとして、前記データ解析部による解析結果に応じたレイアウトを表示するレイアウト表示部とを構築するレーベル画像編集プログラムが記憶されてなることを特徴とするレーベル画像編集プログラム記憶媒体。
【発明の詳細な説明】
【技術分野】
【０００１】
本発明は、データが記録されるデータ面と、該データ面の記録内容を視覚的に確認するためのレーベル画像が描画されるレーベル面とを有する記録メディアについてレーベル画像を編集するレーベル画像編集装置、レーベル画像を編集して記録メディアのレーベル面に描画するレーベル画像編集描画システム、コンピュータを上記のようなレーベル画像編集装置として動作させるレーベル画像編集プログラム、および、そのようなレーベル画像編集プログラムが記憶されてなるレーベル画像編集プログラム記憶媒体に関する。
【背景技術】
【０００２】
近年、画像データ、動画データ、音声データ、およびテキストデータ等といった様々なデータ種類のデータを記録する記録メディアとして、例えばＣＤ−Ｒ（Ｃｏｍｐａｃｔ  Ｄｉｓｋ  Ｒｅｃｏｒｄａｂｌｅ）やＣＤ−ＲＷ（Ｃｏｍｐａｃｔ  Ｄｉｓｋ  Ｒｅｗｒｉｔａｂｌｅ）やＤＶＤ（Ｄｉｇｉｔａｌ  Ｖｅｒｓａｔｉｌｅ  Ｄｉｓｋ）等が普及している。このような記録メディアの多くは、データが記録されるデータ面と、そのデータ面とは反対側の面であって、例えば音声データが表わす音楽の曲名や作曲者等といった記録内容を視覚的に確認するためのレーベル画像が描画されるレーベル面とを有している。
【０００３】
レーベル面にレーベル画像を描画する方法としては、例えば、レーベル画像が印刷されたシール等をレーベル面に貼付することで、レーベル面にレーベル画像を間接的に描画する方法や、レーベル画像をインクジェットプリンタ等を使ってレーベル面に直接に描画する方法等が挙げられる。また、近年では、データが光で記録される記録面と、その光でレーベル画像が描画されるレーベル面とを有する記録メディアや、そのような記録メディアのレーベル面にレーベル画像を光で描画する装置等も提案されている。
【０００４】
ここで、このようなレーベル画像の編集におけるユーザの負担を軽減する方法として、以下のような方法が提案されている。例えば、レーベル画像の材料として使われる複数の画像部品を、予め様々なデータそれぞれに対応付けて所定のデータベースに格納しておき、データを記録メディアに記録する際には、データベース内でそのデータに対応付けられている画像部品を所定のレイアウトで組み合わせることでレーベル画像を編集するという方法が提案されている（例えば、特許文献１参照。）。また、商品カタログ等を表わすデータが記録された記録メディアを名刺として使用するという技術が提案されているが、この技術では、会社名や氏名等といった画像部品が名刺レイアウトのレイアウトで組み合わされてなるレーベル画像がレーベル面に印刷される（例えば、特許文献２参照。）。
【特許文献１】特開２００５−２７６３１３号公報
【特許文献２】特開２００５−２４８８８２号公報
【発明の開示】
【発明が解決しようとする課題】
【０００５】
特許文献１および特許文献２に示す技術では、レーベル画像が自動的に編集されるという点においてユーザの負担が軽減されている。
【０００６】
ここで、後者の技術は、記録メディアを名刺として使用するという限定的な技術であり、様々なレーベル画像の編集に単純に適用することはできないという問題がある。一方、前者の技術は、様々なレーベル画像の編集に適用可能ではあるが、この技術では、予め決められたレイアウトで編集されたレーベル画像が、情報の見易さやレーベル面の外観等の点で必ずしも好ましいものとは限らないという問題がある。
【０００７】
本発明は、上記事情に鑑み、好ましいレーベル画像を容易に編集することができるレーベル画像編集装置と、好ましいレーベル画像を容易に編集して記録メディアのレーベル面に描画することができるレーベル画像編集描画システムと、コンピュータを上記のようなレーベル画像編集装置として動作させるレーベル画像編集プログラムと、そのようなレーベル画像編集プログラムが記憶されてなるレーベル画像編集プログラム記憶媒体とを提供することを目的とする。
【課題を解決するための手段】
【０００８】
上記目的を達成する本発明のレーベル画像編集装置は、データが記録されるデータ面と、そのデータ面の記録内容を視覚的に確認するためのレーベル画像が描画されるレーベル面とを有する記録メディアについてレーベル画像を編集するレーベル画像編集装置において、
上記記録メディアに記録されるデータ及び又はその記録メディアから再生されるデータを解析するデータ解析部と、
上記レーベル画像のレイアウトとして、上記データ解析部による解析結果に応じたレイアウトを表示するレイアウト表示部とを備えたことを特徴とする。
【０００９】
ここで、本発明のレーベル画像編集装置において、「上記レイアウト表示部によって表示されたレイアウトを用いて上記レーベル画像を作成する画像作成部を備えた」という形態や、あるいは、
「上記レイアウト表示部によって表示されたレイアウト上で上記レーベル画像を操作に応じて作成する画像作成部を備えた」という形態は典型的な形態である。
【００１０】
本発明のレーベル画像編集装置によれば、上記レーベル画像のレイアウトとして、上記記録メディアに記録されるデータ及び又はその記録メディアから再生されるデータ、即ち、その記録メディアの記録内容が反映されたレイアウトが表示される。従って、その表示されたレイアウトを用いてレーベル画像を作成する、あるいは、その表示されたレイアウト上でレーベル画像を操作に応じて作成する等といった典型的な運用により、記録メディアの記録内容が反映された好ましいレーベル画像を編集することができる。
【００１１】
また、本発明のレーベル画像編集装置において、「上記レイアウトの複数候補から、上記データ解析部による解析結果に応じたレイアウトを選択するレイアウト選択部を備え、
上記レイアウト表示部が、上記レイアウト選択部で選択されたレイアウトを表示するものである」という形態や、あるいは、
「上記データ解析部が、所定の分類ルールに基づいてデータを複数タイプに分類し、データ数が最も多いタイプを求めるものであり、
上記複数タイプそれぞれに対応した複数のレイアウトから、上記データ解析部によって求められるタイプに対応したレイアウトを選択するレイアウト選択部を備え、
上記レイアウト表示部が、上記レイアウト選択部で選択されたレイアウトを表示するものである」という形態は好ましい形態である。
【００１２】
これらの好ましい形態のレーベル画像編集装置によれば、例えば、上記レイアウトの複数候補、あるいは、上記複数タイプそれぞれに対応した複数のレイアウトから、上記データ解析部による解析結果が適切に反映されたレイアウトが選択されるので、記録メディアの記録内容が反映された好ましいレーベル画像を確実に編集することができる。
【００１３】
また、本発明のレーベル画像編集装置において、「上記レイアウトの基本となる基本レイアウトを、上記データ解析部による解析結果に応じて修正するレイアウト修正部を備え、
上記レイアウト表示部が、上記レイアウト修正部で修正されてなるレイアウトを表示するものである」という形態や、あるいは、
「上記データ解析部が、所定の分類ルールに基づいてデータを複数タイプに分類し、各タイプのデータ数を求めるものであり、
上記複数タイプそれぞれ用の記述欄が設けられた基本レイアウトの記述欄の広さを、上記データ解析部によって得られる各タイプのデータ数に応じて修正するレイアウト修正部を備え、
上記レイアウト表示部が、上記レイアウト修正部で修正されてなるレイアウトを表示するものである」という形態も好ましい形態である。
【００１４】
これらの好ましい形態のレーベル画像編集装置によれば、上記レイアウト修正部による修正に、上記データ解析部による解析結果が適切に反映されることとなるので、記録メディアの記録内容が反映された好ましいレーベル画像を確実に編集することができる。
【００１５】
また、本発明のレーベル画像編集装置において、「上記データが、名称を付されたデータであり、
上記データ解析部が、複数タイプそれぞれに対応した複数のキーワードを有し、それら複数タイプのうち、対応したキーワードが名称の少なくとも一部に用いられているデータが最も多いタイプを求めるものである」という形態も好ましい。
【００１６】
この好ましい形態のレーベル画像編集装置によれば、記録メディアに対する記録対象のデータに付された名称が、上記データ解析部で求められるタイプに適切に反映されることとなる。従って、この好ましい形態のレーベル画像編集装置によれば、データに付された名称を介して、記録メディアの記録内容をレーベル画像に反映させることができる。
【００１７】
また、本発明のレーベル画像編集装置において、「上記データ解析部が、各所定の複数の分類ルールのうち操作に応じた分類ルールに基づいてデータを複数タイプに分類するものである」という形態も好ましい形態である。
【００１８】
この好ましい形態のレーベル画像編集装置によれば、上記データ解析部における分類に、上記操作を介してユーザの意図が反映される。従って、この好ましい形態のレーベル画像編集装置によれば、レーベル画像にユーザの意図を反映させることが可能となる。
【００１９】
また、本発明のレーベル画像編集装置は、レーベル画像が印刷されたシール等がレーベル面に貼付されるタイプの記録メディアや、あるいはレーベル画像がインクジェットプリンタ等でレーベル面に描画されるタイプの記録メディア等といった様々なタイプの記録メディアに対応可能である。
【００２０】
ここで、本発明のレーベル画像編集装置において、「上記記録メディアが、データが光で記録されるデータ面と、その光で上記レーベル画像が描画されるレーベル面とを有するものである」という形態は好ましい形態である。
【００２１】
このような好ましい形態のレーベル画像編集装置によれば、データの記録とレーベル画像の描画とを同じ光を使って行うことができるので装置の一層の簡単化が図られる。
【００２２】
また、上記目的を達成する本発明のレーベル画像編集描画システムは、データが記録されるデータ面と、そのデータ面の記録内容を視覚的に確認するためのレーベル画像が描画されるレーベル面とを有する記録メディアについてレーベル画像を編集するレーベル画像編集装置であって、
上記記録メディアに記録されるデータ及び又はその記録メディアから再生されるデータを解析するデータ解析部と、
上記レーベル画像のレイアウトとして、上記データ解析部による解析結果に応じたレイアウトを表示するレイアウト表示部とを備えたレーベル画像編集装置；および、
上記レーベル画像編集装置によって編集されたレーベル画像を上記レーベル面に描画するレーベル画像描画装置；
を備えたことを特徴とする。
【００２３】
本発明のレーベル画像編集描画システムによれば、このレーベル画像編集描画システムにおけるレーベル画像編集装置によって好ましいレーベル画像を容易に編集し、上記レーベル画像描画装置によって、その好ましいレーベル画像を記録メディアのレーベル面上に描画することができる。
【００２４】
また、上記目的を達成する本発明のレーベル画像編集プログラムは、コンピュータに組み込まれ、そのコンピュータに、データが記録されるデータ面と、そのデータ面の記録内容を視覚的に確認するためのレーベル画像が描画されるレーベル面とを有する記録メディアについてレーベル画像を編集させるレーベル画像編集プログラムにおいて、
そのコンピュータ上に、
上記記録メディアに記録されるデータ及び又はその記録メディアから再生されるデータを解析するデータ解析部と、
上記レーベル画像のレイアウトとして、上記データ解析部による解析結果に応じたレイアウトを表示するレイアウト表示部とを構築することを特徴とする。
【００２５】
本発明のレーベル画像編集プログラムによれば、好ましいレーベル画像を容易に編集できる上記のようなレーベル画像編集装置を容易に実現することができる。
【００２６】
また、上記目的を達成する本発明のレーベル画像編集プログラム記憶媒体は、コンピュータに組み込まれ、そのコンピュータに、データが記録されるデータ面と、そのデータ面の記録内容を視覚的に確認するためのレーベル画像が描画されるレーベル面とを有する記録メディアについてレーベル画像を編集させるレーベル画像編集プログラムが記憶されてなるレーベル画像編集プログラム記憶媒体において、
そのコンピュータ上に、
上記記録メディアに記録されるデータ及び又はその記録メディアから再生されるデータを解析するデータ解析部と、
上記レーベル画像のレイアウトとして、上記データ解析部による解析結果に応じたレイアウトを表示するレイアウト表示部とを構築するレーベル画像編集プログラムが記憶されてなることを特徴とする。
【００２７】
本発明のレーベル画像編集プログラム記録媒体は、ＦＤ（フレキシブルディスク）、ＣＤ−Ｒ、ＣＤ−ＲＷ、ＭＯ、ＤＶＤ等といった記憶媒体の他、ハードディスクやメモリチップ等であっても良い。
【００２８】
尚、本発明のレーベル画像編集描画システム、本発明のレーベル画像編集プログラム、および本発明のレーベル画像編集プログラム記憶媒体については、ここではその基本形態のみを示すのにとどめるが、これは単に重複を避けるためであり、本発明にいうレーベル画像編集描画システム、レーベル画像編集プログラム、およびレーベル画像編集プログラム記憶媒体には、前述したレーベル画像編集装置の各形態に対応する各種の形態が含まれる。
【発明の効果】
【００２９】
以上、説明したように、本発明によれば、好ましいレーベル画像を容易に編集することができるレーベル画像編集装置と、好ましいレーベル画像を容易に編集して記録メディアのレーベル面に描画することができるレーベル画像編集描画システムと、コンピュータを上記のようなレーベル画像編集装置として動作させるレーベル画像編集プログラムと、そのようなレーベル画像編集プログラムが記憶されてなるレーベル画像編集プログラム記憶媒体とを得ることができる。
【発明を実施するための最良の形態】
【００３０】
以下図面を参照して本発明の実施の形態を説明する。
【００３１】
図１は、本発明のレーベル画像編集描画システムの一実施形態として動作するコンピュータシステムの外観斜視図である。
【００３２】
この図１に示すコンピュータシステム１０は、パーソナルコンピュータ１００と、そのパーソナルコンピュータ１００に接続されたＤＶＤドライブ２００とで構成されている。
【００３３】
パーソナルコンピュータ１００は、後述するように本発明のレーベル画像編集装置の一実施形態として動作するものであり、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００３４】
ＤＶＤドライブ２００は、本発明にいうレーベル画像描画装置の一例に相当し、外観上、ＤＶＤを装填するためのＤＶＤ装填口２００ａを有する。このＤＶＤドライブ２００は、データが光で記録されるデータ面と、その光でレーベル画像が描画されるレーベル面とを有するレーベル描画型のＤＶＤ３００に対応したものであり、このようなＤＶＤ３００に対する、レーザ光によるデータ面へのデータの記録と、そのレーザ光によるレーベル面へのレーベル画像の描画とを実行する機能を有している。このＤＶＤドライブ２００では、データの記録の際には、ＤＶＤ３００は、データ面が図中で下向きにされて装填され、レーベル画像の描画の際には、逆に、レーベル面が下向きにされて装填される。ここで、上記のレーベル描画型のＤＶＤ３００が、本発明にいう記録メディアの一例に相当する。
【００３５】
以下、このＤＶＤドライブ２００の内部構成について説明する。
【００３６】
図２は、図１に示すＤＶＤドライブ２００の内部構成を示すハードウェアブロック図である。
【００３７】
この図２に示すＤＶＤドライブ２００は、光ピックアップ２０１、スピンドルモータ２０２、回転検出器２０３、ＲＦ（Ｒａｄｉｏ  Ｆｒｅｑｕｅｎｃｙ）アンプ２０４、デコーダ２０５、サーボ回路２０６、ステッピングモータ２０７、モータドライバ２０８、インタフェース回路２０９、バッファメモリ２１０、エンコーダ２１１、ストラテジ回路２１２、フレームメモリ２１３、データ変換器２１４、レーザパワー自動制御（Ａｕｔｍａｔｉｃ  Ｌａｓｅｒ  Ｐｏｗｅｒ  Ｃｏｎｔｒｏｌ：ＡＬＰＣ）回路２１５、レーザドライバ２１６、および制御回路２１７を備えている。このＤＶＤドライブ２００は、図１にも示すパーソナルコンピュータ１００に、インタフェース回路２０９を介して接続されている。
【００３８】
まず、このＤＶＤドライブ２００における、ＤＶＤ３００へのデータの記録について説明する。
【００３９】
上述したようにこのＤＶＤドライブ２００は、レーベル描画型のＤＶＤに対応した装置であり、このＤＶＤドライブ２００に装填されるＤＶＤ３００は、データが光で記録されるデータ面と、その光でレーベル画像が描画されるレーベル面とを有している。
【００４０】
データの記録時には、ＤＶＤ３００は、データ面が光ピックアップ２０１と対向するように、データ面を下に向けてＤＶＤドライブ２００に装填される。装填されたＤＶＤ３００は、不図示の保持機構で保持された状態で、スピンドルモータ２０２によって回転駆動される。また、このときには、記録に最適な回転速度が制御回路２１７からサーボ回路２０６に伝えられる。さらに、スピンドルモータ２０２の回転速度が回転検出器２０３によって検出され、その回転検出器２０３からその回転速度を表わす速度信号もサーボ回路２０６に伝えられる。サーボ回路２０６は、両者を比較し、速度信号が表わす回転速度が、上記の最適な回転速度となるようにスピンドルモータ２０２の回転速度を制御する。
【００４１】
このように制御されたされた回転速度で回転するＤＶＤ３００のデータ面に対して、後述するように光ピックアップ２０１からレーザ光が照射されることで、そのデータ面にデータが記録される。光ピックアップ２０１は、レーザダイオード、受光素子、および集光レンズ等からなる光学系を有しており、データの記録は、レーザダイオードが発し集光レンズで集光されたレーザ光によって行なわれる。また、光ピックアップ２０１は、集光されたレーザ光のデータ面上での微小な位置決めを行なうサーボ機構や、集光レンズに対するフォーカス制御を行なうフォーカス機構を有している。これらの機構の動作が、制御回路２１７からの指示に従ったサーボ回路２０６によって制御され、正確に集光されたレーザ光が、ＤＶＤ３００のデータ面上の目標位置に正確に照射される。このとき、記録に最適なレーザ光強度が制御回路２１７からＡＬＰＣ回路２１５に伝えられる。また、光ピックアップ２０１は、レーザダイオードが発するレーザ光の強度をモニタするセンサを有しており、レーザダイオードがレーザ光を発する際には、このセンサによってモニタされたレーザ光の強度もＡＬＰＣ回路２１５に伝えられる。ＡＬＰＣ回路２１５は、両者を比較し、レーザダイオードが発するレーザ光の強度を上記の最適なレーザ光強度に一致させるための制御信号をレーザドライバ２１６に送る。
【００４２】
ここで、ＤＶＤ３００に記録されるデータは、インタフェース回路２０９を介してパーソナルコンピュータ１００から供給され、バッファメモリ２１０に一時的に記憶される。そして、このバッファメモリ２１０内のデータは、エンコーダ２１１によって適宜に読み出され、所定の符号化処理によってＤＶＤ３００への記録に適した符号化データに変換される。この符号化データはストラテジ回路２１２に供給され、このストラテジ回路２１２によって、時間軸補正等の補正処理が施された後に、レーザドライバ２１６に供給される。
【００４３】
レーザドライバ２１６は、光ピックアップ２０１のレーザダイオードを、この補正処理を経た符号化データに従って駆動する駆動信号を生成してその光ピックアップ２０１に送る。そして、光ピックアップ２０１が、上記の符号化データに従って変調されたレーザ光をデータ面に照射することで、その符号化データが、レーザ光の照射によって生じるマークでデータ面に記録されることとなる。このとき、このレーザドライバ２１６は、上記の駆動信号を生成する際には、その駆動信号に、ＡＬＰＣ回路２１５から送られた制御信号を反映させるので、データの記録が、常に、最適なレーザ光強度で行なわれることとなる。
【００４４】
次に、このＤＶＤドライブ２００における、ＤＶＤ３００に記録されたデータの再生について説明する。
【００４５】
このデータの再生の際にも、ＤＶＤ３００は、データ面が光ピックアップ２０１に対向するように装填され、スピンドルモータ２０２によって最適な回転速度で回転される。
【００４６】
データの再生時には、光ピックアップ２０１のレーザダイオードが発しＤＶＤ３００のデータ面で反射されたレーザ光が、この光ピックアップ２０１の受光素子で受光される。このとき、ＤＶＤ３００のデータ面で反射されたレーザ光の強度は、そのデータ面における上記のマークの有無に従って変化する。マークの有無は上記の符号化データに対応しているので、データ面で反射されたレーザ光が受光素子で受光されることによって得られる受光データは、そのデータ面に記録されている符号化データと同等な符号化データとなる。受光素子で得られた受光データは、ＲＦアンプ２０４によって増幅され、デコーダ２０５に送られる。デコーダ２０５は、その送られた受光データに所定の復号化処理を施すことによって、その受光データからデータを再生して制御回路２１７に送る。制御回路２１７は、その再生されたデータをインタフェース回路２０９を介してパーソナルコンピュータ１００に送る。
【００４７】
次に、このＤＶＤドライブ２００における、ＤＶＤ３００へのレーベル画像の描画について説明する。
【００４８】
上述したように、このＤＶＤドライブ２００に装填されるＤＶＤ３００は、データ面に対するデータの記録に使われた光でレーベル画像が描画されるレーベル面を有している。ここで、このレーベル面へのレーベル画像の描画には、データの記録を行う光ピックアップ２０１が使われる。そこで、レーベル画像の描画が行われる際には、ＤＶＤ３００は、レーベル面が光ピックアップ２０１に対向するように、このレーベル面を下に向けて装填されることとなる。
【００４９】
レーベル画像を表わす画像データは、インタフェース回路２０９を介してパーソナルコンピュータ１００から供給され、フレームメモリ２１３に一時的に記憶される。そして、このフレームメモリ２１３内の画像データは、データ変換器２１４によって適宜に読み出され、その画像データが表わすレーベル画像を階調値で表現した階調画像データに変換される。この階調画像データが、レーザドライバ２１６に供給される。そして、レーザドライバ２１６が、光ピックアップ２０１のレーザダイオードを、この階調画像データに従って駆動する駆動信号を生成する。
【００５０】
ここで、本実施形態で使用されるＤＶＤ３００のレーベル面は光が照射されると、その光に反応して照射された部分が薄まるレーベル色を有している。そして、このレーベル色の薄まりは、光の照射回数が多いほど強まる。本実施形態では、階調画像データが表わすレーベル画像の各部の階調値に従って、上記の駆動信号によって適宜にオン／オフされるレーザ光で、回転駆動されているＤＶＤ３００のレーベル面が繰返し走査される。その結果、レーベル面における、レーベル画像の各部に対応する部分に、そのレーベル画像の各部の階調値に応じた回数でレーザ光が照射される。これにより、レーベル面の各部分のレーベル色が適宜に薄められてレーベル画像が描画されることとなる。
【００５１】
ＤＶＤドライブ２００は、以上に説明した構成となっている。
【００５２】
次に、レーベル画像の編集について説明する。
【００５３】
本実施形態では、ＤＶＤドライブ２００に接続されたパーソナルコンピュータ１００が、本発明のレーベル画像編集装置の一実施形態として動作することで、このレーベル画像の編集が行なわれる。
【００５４】
図３は、図１および図２に示すパーソナルコンピュータ１００のハードウェア構成図である。
【００５５】
このパーソナルコンピュータ１００の本体装置１１０（図１参照）の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ４１０をアクセスするＦＤドライブ１１４、ＣＤ−ＲＯＭ４２０が装填され、その装填されたＣＤ−ＲＯＭ４２０をアクセスするＣＤ−ＲＯＭドライブ１１５、図１のＤＶＤドライブ２００に接続されデータのやり取りを行なうＩ／Ｏインタフェース１１６が内蔵されており、これらの各種要素と、さらに図１にも示す画像表示装置１２０、キーボード１３０、マウス１４０は、バス１１７を介して相互に接続されている。
【００５６】
ここで、上記のＣＤ−ＲＯＭ４２０は、パーソナルコンピュータ１００を、本発明のレーベル画像編集装置の一実施形態として動作させるための、本発明のレーベル画像編集プログラムの一実施形態が記憶されてなる、本発明のレーベル画像編集プログラム記憶媒体の一実施形態に相当する。
【００５７】
そして、そのＣＤ−ＲＯＭ４２０がＣＤ−ＲＯＭドライブ１１５に装填されると、そのＣＤ−ＲＯＭ４２０に記憶されたプログラムがこのパーソナルコンピュータ１００にアップロードされてハードディスク装置１１３に書き込まれる。これにより、パーソナルコンピュータ１００はレーベル画像編集装置として動作する。
【００５８】
次に、本発明のレーベル画像編集プログラムの一実施形態、および、本発明のレーベル画像編集プログラム記憶媒体の一実施形態について説明する。
【００５９】
図４は、本発明のレーベル画像編集プログラムの一実施形態が記憶された、本発明のレーベル画像編集プログラム記憶媒体の一実施形態を示す概念図である。
【００６０】
図４に示すＣＤ−ＲＯＭ４２０は、本発明のレーベル画像編集プログラムの一実施形態であるレーベル画像編集プログラム５００が記憶されたものであり、本発明のレーベル画像編集プログラム記憶媒体の一実施形態に相当する。
【００６１】
このレーベル画像編集プログラム５００は、目的選択部５１０、データ解析部５２０、レイアウト決定部５３０、レイアウト表示部５４０、および画像作成部５５０で構成されている。
【００６２】
このレーベル画像編集プログラム５００の各部の詳細については、本発明のレーベル画像編集装置の一実施形態の各部の作用と併せて説明する。尚、以下の説明では、この図４に示す要素については特に図番を断らずに各図中の符号を使って参照する。
【００６３】
図５は、本発明のレーベル画像編集装置の一実施形態を備えた、本発明のレーベル画像編集描画システムの一実施形態を示すブロック図である。
【００６４】
この図５に示す、本発明のレーベル画像編集装置の一実施形態であるレーベル画像編集装置６００は、図４のレーベル画像編集プログラム５００が図１のパーソナルコンピュータ１００にインストールされて実行されることによって構成されるものであり、目的選択部６１０、データ解析部６２０、レイアウト決定部６３０、レイアウト表示部６４０、画像作成部６５０、キーワードデータベース６６０、および画像データベース６７０を有する。また、この図５には、図１および図２にも示したＤＶＤドライブ２００が示されており、上記のレーベル画像編集装置６００と、このＤＶＤドライブ２００とで、本発明のレーベル画像編集描画システムの一実施形態であるレーベル画像編集描画システム７００が構成されている。
【００６５】
図４のレーベル画像編集プログラム５００が、図１のパーソナルコンピュータ１００にインストールされると、そのレーベル画像編集プログラム５００の目的選択部５１０、データ解析部５２０、レイアウト決定部５３０、レイアウト表示部５４０、および画像作成部５５０は、それぞれ図５に示すレーベル画像編集装置６００の目的選択部６１０、データ解析部６２０、レイアウト決定部６３０、レイアウト表示部６４０、および画像作成部６５０を構築する。ここで、これらレーベル画像編集装置６００の各要素は、コンピュータのハードウェアとそのコンピュータで実行されるＯＳやアプリケーションプログラムとの組合せで構成されているのに対し、図４のレーベル画像編集プログラム５００の各要素は、アプリケーションプログラムのみによって構成されている。
【００６６】
ここで、このレーベル画像編集装置６００における目的選択部６１０とデータ解析部６２０とを合わせたものは、本発明にいうデータ解析部の一例に相当する。また、レーベル画像編集装置６００におけるレイアウト決定部６３０は、本発明にいうレイアウト選択部とレイアウト修正部とを兼ねた一例に相当する。さらに、レーベル画像編集装置６００におけるレイアウト表示部６４０および画像作成部６５０は、それぞれ本発明にいうレイアウト表示部および画像作成部の各一例に相当する。
【００６７】
以下、この図５に示すレーベル画像編集装置６００の各要素を説明することによって、図４に示すレーベル画像編集プログラム５００の各要素も併せて説明する。
【００６８】
まず、目的選択部６１０は、まず、ユーザに対して、不図示の操作画面において、例えば各地の地域情報の記録や、音楽に関する情報の記録等といった、ＤＶＤ３００についての複数の使用目的を提示する。そして、目的選択部６１０は、そのユーザに対して、それら複数の使用目的の中から、今回のＤＶＤ３００についての使用目的を選択するように促す。ユーザが、操作画面を操作して、提示された複数の使用目的のうちの１つの使用目的を選択すると、目的選択部６１０は、今回のＤＶＤ３００についての使用目的を認識する。目的選択部６１０は、認識した使用目的をデータ解析部６２０およびレイアウト決定部６３０に知らせる。
【００６９】
また、目的選択部６１０は、上記の不図示の操作画面を介して、ＤＶＤ３００に付けるタイトル、このＤＶＤ３００にデータを記録してデータ記録済のＤＶＤを作成する作成者の名前、およびデータ記録済のＤＶＤの作成日を取得し、上記の分類項目と共にレイアウト決定部６３０に知らせる。
【００７０】
データ解析部６２０には、まず、ＤＶＤ３００に記録されるデータやＤＶＤ３００から再生されたデータが入力される。尚、ここでは、このデータ解析部６２０に入力されるデータがどのようにして得られたものであるか特定しないが、このデータは、例えば、ＤＶＤ３００への記録用としてパーソナルコンピュータ１００のハードディスク装置１１３に記録されていたデータをそのハードディスク装置１１３から読み出したものであっても良く、ＤＶＤ３００に記録されたデータが、ＤＶＤドライブ２００によって再生されたものであっても良い。
【００７１】
ここで、本実施形態では、データは、ファイル名を付されたファイルという形式で扱われる。このファイルが、本発明にいう「名称を付されたデータ」の一例に相当し、ファイル名が本発明にいう名称の一例に相当する。データ解析部６２０では、目的選択部６１０から知らされた使用目的と、データ解析部６２０に入力されたファイル名とに基いて、キーワードデータベース６６０に対する次のような処理が実行される。
【００７２】
図６は、キーワードデータベース６６０のデータ構造を示す模式図である。
【００７３】
このキーワードデータベース６６０には、上記の複数の使用目的それぞれ毎にキーワードの格納領域が設けられている。ここで、各格納領域に格納されている複数のキーワードそれぞれは、その格納領域に対応する使用目的に属する複数のデータタイプそれぞれに対応している。
【００７４】
例えば、図６には、地域情報の記録という使用目的について設けられた地域ワード格納領域６６１が示されている。この地域ワード格納領域６６１には、東京都の地域情報というデータタイプに対応するキーワードとして「東京都」が格納され、神奈川県の地域情報というデータタイプに対応するキーワードとして「神奈川県」が格納される等というように、各地の地名が、地域情報の記録という使用目的に属する複数のデータタイプそれぞれに対応するキーワードとして格納されている。ここで、東京都の地域情報や神奈川県の地域情報等といった複数のデータタイプが、本発明にいう複数タイプの一例に相当し、各データタイプに対応した「東京都」や「神奈川県」等といった複数のキーワードが、本発明にいう複数のキーワードの一例に相当する。
【００７５】
この図６に示すキーワードデータベース６６０には、上記の地域ワード格納領域６６１の他にも、音楽に関する情報の記録という使用目的に対応する音楽ワード格納領域６６２、テレビ番組に関する情報の記録という使用目的に対応する番組ワード格納領域６６３、アルバム用の写真の記録という使用目的に対応する写真ワード格納領域６６４、映画に関する情報の記録という使用目的に対応する映画ワード格納領域６６５等といった複数の格納領域が設けられている。
【００７６】
地名ワード格納領域６６１には、上述したように「東京都」、「神奈川県」等といったキーワードが格納されており、音楽ワード格納領域６６２には、「バイオリン」、「ピアノ」等といった楽器名や、「クラシック」、「現代」等といったジャンル名や、作曲者の名前や、曲名等がキーワードとして格納されており、番組ワード格納領域６６３には、「ドラマ」、「ニュース」、「お笑い番組」等といった番組ジャンルの名称等がキーワードとして格納されており、写真ワード格納領域６６４には、「家族」、「旅行」等といった写真のテーマ等がキーワードとして格納されており、映画ワード格納領域６６５には、「ラブストーリー」、「戦争」等といったジャンル名や、「アメリカ」、「日本」等といった制作国名や、題名や、監督名や、俳優名や、女優名や、制作年代等がキーワードとして格納されている。
【００７７】
図５に示すデータ解析部６２０は、キーワードデータベース６６０の、目的選択部６１０から知らされた使用目的に対応する格納領域内の複数のキーワードそれぞれについて、ファイル名の少なくとも一部に用いられているファイル数をカウントし、カウント数が最も多いキーワードを選択する。
【００７８】
例えば、目的選択部６１０から知らされた使用目的が、写真の記録という使用目的であり、データが、それぞれ「家族写真１」、…、「家族写真６０」、「写真解説１」、…、「写真解説４０」というファイル名が付された１００個のファイルであったとする。この場合、データ解析部６２０は、写真の記録という使用目的に対応する写真ワード格納領域６６４内の各キーワードについて、上記の１００個のファイルのファイル名で用いられている回数をカウントし、カウント数が最も多い「家族」というキーワードを選択する。
【００７９】
さらに、このデータ解析部６２０は、ファイル名を使ったこのようなキーワードの選択と共に、ファイルを、画像を表わす画像データ、動画を表わす動画データ、音楽等といった音声情報を表わす音声データ、文字情報を表わすテキストデータ、表を表わす表データ、いずれのデータ種類にも属さないその他データという６種類のデータ種類に分類し、各データ種類のファイルが何個存在するかをカウントする。ここで、上記の複数のデータ種類も、本発明にいう「複数タイプ」の一例に相当し、上記の６種類のデータ種類が、本発明にいう「複数の種類候補」の一例に相当する。
【００８０】
例えば、データが、上記の１００個のファイルであり、「家族写真１」、…、「家族写真６０」というファイル名を有する６０個のファイルそれぞれが画像データであって、「写真解説１」、…、「写真解説４０」というファイル名の４０個のデータそれぞれがテキストデータであるとする。この場合、データ解析部６２０は、画像データが６０個、テキストデータが４０個、他の４種類のデータ種類についてはいずれも０個というカウント結果を得る。
【００８１】
データ解析部６２０は、以上に説明したキーワードの選択と、６種類のデータ種類についてのカウントが終了すると、選択したキーワードとカウント結果とをレイアウト決定部６３０に送る。
【００８２】
レイアウト決定部６３０は、データ解析部６２０からキーワードとカウント結果とを受け取ると、それらのキーワードとカウント結果とに基いてレーベル画像のレイアウトを決定する。
【００８３】
ここで、本実施形態では、レーベル画像のレイアウトとして、後景画像が所定の固定位置に配置されてなる後景レイアウトと、データに係わる記述が配置される記述欄からなる前景レイアウトとが互いに重ね合わされているというレイアウトが採用されている。
【００８４】
レイアウト決定部６３０は、まず、後景レイアウトにおける後景画像を、画像データベース６７０から、データ解析部６２０から渡されたキーワードに基いて取得する。
【００８５】
図７は、画像データベース６７０の内部を示す模式図である。
【００８６】
この画像データベース６７０には、後景画像の候補として、図６に示すキーワードデータベース６６０内の複数のキーワードそれぞれに一対一に対応する候補画像が格納されている。そして、それら複数の候補画像は、キーワードデータベース６６０内の複数の格納領域それぞれに一対一に対応して画像データベース６７０内に設けられた複数の画像格納領域に格納されている。
【００８７】
例えば、図６に示す地名ワード格納領域６６１に対応する地名画像格納領域６７１には、例えば、東京都をイメージさせる画像や、神奈川県をイメージさせる画像等が、それぞれ「東京都」、「神奈川県」等といったキーワードに対応付けられて格納されている。
【００８８】
ここで、本実施形態では、上述したように、レーベル画像のレイアウトにおける後景レイアウトは、後景画像が所定の固定位置に配置されることによって作られるものであるので、後景画像が決まると、この後景レイアウトも一意的に決まることとなる。つまり、本実施形態では、例えば上記の東京都をイメージさせる画像や、神奈川県をイメージさせる画像等といった複数の候補画像それぞれに、その後景画像が所定の固定位置に配置された後景レイアウトが対応している。これら複数の候補画像それぞれに対応する複数の後景レイアウトが、本発明にいう「複数のレイアウト」の一例に相当する。
【００８９】
同様に、図６に示す音楽ワード格納領域６６２や番組ワード格納領域６６３や写真ワード格納領域６６４や映画ワード格納領域６６５等といった各格納領域それぞれに対応して設けられた、音楽画像格納領域６７２や番組画像格納領域６７３や写真画像格納領域６７４や映画画像格納領域６７５等といった各画像格納領域には、上記のキーワードに対応付けられた複数の候補画像が格納されている。
【００９０】
上記において、図６に示す目的選択部６１０から使用目的として写真の記録という使用目的が知らされ、データ解析部６２０において、キーワードとして「家族」というキーワードが選択されるという例を示したが、この例の場合におけるレイアウト決定部６３０の動作について考えてみる。
【００９１】
この場合、レイアウト決定部６３０は、図７に示す画像データベース６７０の、写真の記録という使用目的に対応する写真画像格納領域６７４内の複数の候補画像の中から「家族」というキーワードに対応する、家族をイメージさせる候補画像を後景画像として選択する。レイアウト決定部６３０は、このように後景画像を決定すると、家族をイメージさせる後景画像を所定の固定位置に配置して後景レイアウトを作成する。
【００９２】
さらに、レイアウト決定部６３０は、レイアウト画像における上記の前景レイアウトを、上述した６種類のデータ種類についてのカウント結果に基いて次のように作成する。
【００９３】
本実施形態では、レイアウト決定部６３０は、６種類のデータ種類それぞれに対応する６つの記述欄が設けられたデフォルトの前景レイアウトを、データ解析部６２０から送られたカウント結果に基いて修正することで、最終的な前景レイアウトを作成する。
【００９４】
ここで、このデフォルトの前景レイアウトが、本発明にいう基本レイアウトの一例に相当し、デフォルトの前景レイアウトが有する６つの記述欄それぞれが、本発明にいう記述欄の一例に相当する。
【００９５】
図８は、６つの記述欄を有するデフォルトの前景レイアウトを示す図である。
【００９６】
この図８に示すように、デフォルトの前景レイアウト６３１は、まず、目的選択部６１０から知らされた記録済メディアのタイトル、作成者の名前、および作成日が記述される共通の記述欄６３１ａを有している。さらに、このデフォルトの前景レイアウト６３１は、テキストデータ用の記述欄６３１ｂ、画像データ用の記述欄６３１ｃ、動画データ用の記述欄６３１ｄ、音声データ用の記述欄６３１ｅ、表データ用の記述欄６３１ｆ、およびその他データ用の記述欄６３１ｇを有している。
【００９７】
図５に示すレイアウト決定部６３０は、このデフォルトの前景レイアウト６３１における、共通の記述欄６３１ａを除く６つの記述欄それぞれの広さを、データ解析部６２０から送られたカウント結果に基いて修正することで、最終的な前景レイアウトを作成する。
【００９８】
図９は、レイアウト決定部６３０によって作成された最終的な前景レイアウトの一例を示す図である。
【００９９】
この図９に示す例は、上述した、データ解析部６２０において、画像データが６０個、テキストデータが４０個、他の４種類のデータ種類についてはいずれも０個というカウント結果が得られたという例に対応したものである。
【０１００】
この場合、図５に示すレイアウト決定部６３０は、０個というカウント結果に対応する動画データ用の記述欄６３１ｄ、音声データ用の記述欄６３１ｅ、表データ用の記述欄６３１ｆ、およびその他データ用の記述欄６３１ｇを図８に示すデフォルトの前景レイアウト６３１から削除する。そして、図９に示すように、共通の記述欄６３１ａを除く領域を、テキストデータのカウント数と画像データのカウント数とに応じて、２：３の比率で分割し、「２」の比率に対応する広さの領域をテキストデータ用の最終的な記述欄６３１ｂ’とし、「３」の比率に対応する広さの領域を画像データ用の最終的な記述欄６３１ｃ’として、最終的な前景レイアウト６３１’を完成させる。
【０１０１】
レイアウト決定部６３０は、上記の後景レイアウトと最終的な前景レイアウトとが、以上に説明したように決まると、これら２つのレイアウトを次のように組み合わせることで、今回のレーベル画像のレイアウトを作成する。
【０１０２】
図１０は、レイアウト決定部６３０によって作成されたレーベル画像のレイアウトの一例を示す図である。
【０１０３】
この図１０の例は、家族をイメージさせる候補画像６３１ｈを後景画像として有する後景レイアウトと、図９に示す最終的な前景レイアウト６３１’とを使って作成されたレーベル画像のレイアウトである。
【０１０４】
レイアウト決定部６３０は、後景レイアウトに最終的な前景レイアウトを重ねてレーベル画像のレイアウト６３２を作成する。
【０１０５】
この図１０に一例を示すようなレイアウトに従って作成されるレーベル画像によれば、後景画像からＤＶＤ３００の記録内容を連想することができる。また、このレイアウトは、データに関連する記述がデータ種類別に配置されるための記述欄を有している。このため、このレイアウトに従って作成されるレーベル画像によれば、記述されている記述から、記録内容の内訳を把握することができる。さらに、このような記述欄として、データ種類別の記録数に応じた広さの記述欄が用意されることから、レーベル画像におけるこれらの記述が見易い。また、本実施形態では、このような好ましいレイアウトが自動的に作成されるので、レーベル画像作成におけるユーザの負担が軽減されることとなる。
【０１０６】
レイアウト決定部６３０は、このように作成したレイアウトを、図５に示すレイアウト表示部６４０に知らせる。
【０１０７】
レイアウト表示部６４０は、まず、レイアウト決定部６３０から知らされたレイアウトに従って、次のようなデフォルトのレーベル画像を作成する。
【０１０８】
図１１は、デフォルトのレーベル画像の一例を示す図である。
【０１０９】
この図１１のデフォルトのレーベル画像６４１は、図１０に示すレイアウト６３２に従って作成されたものである。以下、この図１１を参照しながらレイアウト表示部６４０の動作を説明する。
【０１１０】
レイアウト表示部６４０は、まず、上記のタイトル「家族写真」と、作成者の名前「ＡＡＡ」と、作成日「○月×日」とを、図１０に示す共通の記述欄６３１ａ内の所定位置に配置する。そして、ＤＶＤ３００に記録されるデータ、あるいは既に記録されているデータのうちのテキストデータのファイル名「ＢＢＢ」，「ＤＤＤ」，…を図１０に示すテキストデータの記述欄６３１ｂ’内の所定位置に配置する。さらに、画像データのファイル名「ＥＥＥ」，「ＦＦＦ」，…を図１０に示す画像データの記述欄６３１ｃ’内の所定位置に配置してデフォルトのレーベル画像６４１を完成させる。
【０１１１】
そして、レイアウト表示部６４０は、このように完成させたデフォルトのレーベル画像６４１を、所定の表示画面に表示すると共に、そのデフォルトのレーベル画像６４１を画像作成部６５０に渡す。
【０１１２】
画像作成部６５０は、まず、レイアウト表示部６４０が表示したデフォルトのレーベル画像６４１に対する、各記述欄内の記述内容、記述位置、さらに記述している文字の大きさ等についての、ユーザ操作による修正を受け付ける。そして、ユーザからそのような修正があった場合には、その修正内容をデフォルトのレーベル画像６４１に反映させて、最終的なレーベル画像を完成させる。そして、画像作成部６５０は、完成させた最終的なレーベル画像を表わす画像データをＤＶＤドライブ２００に送る。そしてＤＶＤドライブ２００に、ＤＶＤが、上述したようにレーベル面を下向きにして装填されると、画像作成部６５０から送られてきた画像データに基いてレーベル画像がレーベル面に書き込まれる。
【０１１３】
以上、説明したように、本実施形態によれば、好ましいレーベル画像を作成するための好ましいレイアウトを自動的に決定し、その好ましいレイアウトに従って好ましいレーベル画像を作成することができる。
【０１１４】
尚、上記では、本発明にいう記録メディアの一例として、レーベル面への光学的な画像の出力が可能なレーベル描画型のＤＶＤを例示したが、本発明はこれに限るものではなく、本発明にいう記録メディアは、例えば、レーベル面への光学的な画像の出力が可能なレーベル描画型のＣＤ−ＲやＣＤ−ＲＷであっても良く、あるいは、レーベル画像が印刷されたシールがレーベル面に貼付される等といったレーベル非出力型のＤＶＤやＣＤ−ＲやＣＤ−ＲＷやフレキシブルディスク（ＦＤ）等であっても良い。また、上記ではレーベル描画型のＤＶＤの具体例については言及しなかったが、このレーベル描画型のＤＶＤとしては、例えばＬａｂｅｌｆｌａｓｈ（登録商標）対応のＤＶＤや、Ｌｉｇｈｔｓｃｒｉｂｅ（登録商標）対応のＤＶＤ等が挙げられる。ここで、Ｌａｂｅｌｆｌａｓｈ（登録商標）対応のＤＶＤを用いる場合には、Ｌａｂｅｌｆｌａｓｈ（登録商標）対応のＤＶＤドライブが必要となり、Ｌｉｇｈｔｓｃｒｉｂｅ（登録商標）対応のＤＶＤを用いる場合には、Ｌｉｇｈｔｓｃｒｉｂｅ（登録商標）対応のＤＶＤドライブが必要となる。
【０１１５】
また、上記では、本発明にいうレーベル画像描画装置の一例として、ＤＶＤのデータ面とは反対側のレーベル面にレーベル画像を出力する機能を有するレーベル描画型のＤＶＤドライブ２００を例示したが、本発明はこれに限るものではなく、本発明にいうレーベル画像描画装置は、例えば、データ面中で、データが記録されない領域にレーベル画像を出力するもの等であっても良い。
【０１１６】
また、上記では、本発明にいうレーベル画像描画装置の一例として、ＤＶＤへのデータの記録とレーベル面へのレーベル画像の出力とを行なうＤＶＤドライブ２００を例示したが、本発明はこれに限るものではなく、本発明にいうレーベル画像描画装置は、例えば、レーベル非出力型の記録メディア（例えばＤＶＤやＣＤ−ＲやＣＤ−ＲＷやＦＤ等）に貼付するシールにレーベル画像を出力するプリンタであっても良く、あるいは、レーベル非出力型の記録メディアのレーベル面にレーベル画像をインク出力するレーベル用のプリンタ等であっても良い。
【０１１７】
また、上記では、本発明にいうレイアウト表示部の一例として、作成されたレイアウトを、そのレイアウト中に、ＤＶＤに記録されるデータのファイル名が配置されてなるデフォルトのレーベル画像という形で表示するレイアウト表示部６４０を例示したが、本発明はこれに限るものではない。本発明のレイアウト表示部は、例えば、作成されたレイアウトをそのまま表示するもの等であっても良い。その場合、レーベル画像は、その表示されたレイアウトにおける記述欄への記述がユーザ操作等を介して取得されることで作成されることとなる。
【図面の簡単な説明】
【０１１８】
【図１】本発明のレーベル画像編集描画システムの一実施形態として動作するコンピュータシステムの外観斜視図である。
【図２】図１に示すＤＶＤドライブ２００の内部構成を示すハードウェアブロック図である。
【図３】図１および図２に示すパーソナルコンピュータ１００のハードウェア構成図である。
【図４】本発明のレーベル画像編集プログラムの一実施形態が記憶された、本発明のレーベル画像編集プログラム記憶媒体の一実施形態を示す概念図である。
【図５】本発明のレーベル画像編集装置の一実施形態を備えた、本発明のレーベル画像編集描画システムの一実施形態を示すブロック図である。
【図６】キーワードデータベース６６０の内部を示す模式図である。
【図７】画像データベース６７０の内部を示す模式図である。
【図８】６つの記述欄を有するデフォルトの前景レイアウトを示す図である。
【図９】レイアウト決定部６３０によって決定された最終的な前景レイアウトの一例を示す図である。
【図１０】レイアウト決定部６３０によって決定されたレーベル画像のレイアウトの一例を示す図である。
【図１１】デフォルトのレーベル画像の一例を示す図である。
【符号の説明】
【０１１９】
１０    コンピュータシステム
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１２０    画像表示装置
１２１    表示画面
１３０    キーボード
１４０    マウス
２００    ＤＶＤドライブ
２００ａ    ＤＶＤ装填口
２０１    光ピックアップ
２０２    スピンドルモータ
２０３    回転検出器
２０４    ＲＦアンプ
２０５    デコーダ
２０６    サーボ回路
２０７    ステッピングモータ
２０８    モータドライバ
２０９    インタフェース回路
２１０    バッファメモリ
２１１    エンコーダ
２１２    ストラテジ回路
２１３    フレームメモリ
２１４    データ変換器
２１５    レーザパワー自動制御（ＡＬＰＣ）回路
２１６    レーザドライバ
２１７    制御回路
３００    ＤＶＤ
４１０    ＦＤ
４２０    ＣＤ−ＲＯＭ
５００    レーベル画像編集プログラム
５１０    目的選択部
５２０    データ解析部
５３０    レイアウト決定部
５４０    レイアウト表示部
５５０    画像作成部
６００    レーベル画像編集装置
６１０    目的選択部
６２０    データ解析部
６３０    レイアウト決定部
６３１    デフォルトの前景レイアウト
６３１ａ    共通の記述欄
６３１ｂ    テキストデータ用の記述欄
６３１ｃ    画像データ用の記述欄
６３１ｄ    動画データ用の記述欄
６３１ｅ    音声データ用の記述欄
６３１ｆ    表データ用の記述欄
６３１ｇ    その他データ用の記述欄
６３１’    最終的な前景レイアウト
６３１ｂ’    テキストデータ用の最終的な記述欄
６３１ｃ’    画像データ用の最終的な記述欄
６３１ｈ    家族をイメージさせる候補画像
６３２    レーベル画像のレイアウト
６４０    レイアウト表示部
６４１    デフォルトのレーベル画像
６５０    画像作成部
６６０    キーワードデータベース
６６１    地域ワード格納領域
６６２    音楽ワード格納領域
６６３    番組ワード格納領域
６６４    写真ワード格納領域
６６５    映画ワード格納領域
６７０    画像データベース
６７１    地名画像格納領域
６７２    音楽画像格納領域
６７３    番組画像格納領域
６７４    写真画像格納領域
６７５    映画画像格納領域
６７０    画像データベース
７００    レーベル画像編集描画システム
【図１】
2007274308.tif 000003
【図２】
2007274308.tif 000004
【図３】
2007274308.tif 000005
【図４】
2007274308.tif 000006
【図５】
2007274308.tif 000007
【図６】
2007274308.tif 000008
【図７】
2007274308.tif 000009
【図８】
2007274308.tif 000010
【図９】
2007274308.tif 000011
【図１０】
2007274308.tif 000012
【図１１】
2007274308.tif 000013